(57)【要約】【課題】とくに液状薬剤その他液体を収容した液体用容器にＲＦＩＤタグ１３を取り付けても、液体用容器内の液体からＲＦＩＤタグ１３を離すとともに、リーダーライターにおけるアンテナとの相対的な姿勢を適正とし、データ交信に影響を及ぼすことなく商品管理システムを運用可能とするＲＦＩＤタグ保持具およびその取付け方法を提供すること。【解決手段】閉鎖弧状本体２１の内周側に内方突出片２２を設けるとともに、その外周側にＲＦＩＤタグ保持片２３を設けることに着目したもので、液体用容器の首部を挿通可能とする挿通孔２４を形成している閉鎖弧状本体２１と、閉鎖弧状本体２１の内周部２１Ａから挿通孔２４の内方に突出しているとともにその自由端部２２Ｂが首部に対向可能な内方突出片２２と、閉鎖弧状本体２１の外周部２１Ｂに位置して形成しているとともにＲＦＩＤタグ１３を取り付けているＲＦＩＤタグ保持片２３と、を有することを特徴とする。【選択図】図１
2010176473.tif 000002
【特許請求の範囲】
【請求項１】
ＩＣチップおよびアンテナを有し、無線によるデータ交信が可能なＲＦＩＤタグを保持するとともに液体用容器に取り付け、この液体用容器に収容した液体に関する情報の前記データ交信を可能とするＲＦＩＤタグ保持具であって、
前記液体用容器の首部を挿通可能とする挿通孔を形成している閉鎖弧状本体と、
この閉鎖弧状本体の内周部からこの挿通孔の内方に突出しているとともにその自由端部がこの首部に対向可能な内方突出片と、
前記閉鎖弧状本体の外周部に位置して形成しているとともに前記ＲＦＩＤタグを取り付け可能なＲＦＩＤタグ保持片と、
を有することを特徴とするＲＦＩＤタグ保持具。
【請求項２】
前記閉鎖弧状本体の内周部は、前記液体用容器の前記首部に対向可能であることを特徴とする請求項１記載のＲＦＩＤタグ保持具。
【請求項３】
前記内方突出片は、これを弾性部材から構成することを特徴とする請求項１記載のＲＦＩＤタグ保持具。
【請求項４】
前記内方突出片には、前記自由端部から前記閉鎖弧状本体の前記内周部におけるその基端部に向かってスリットを形成してあることを特徴とする請求項１記載のＲＦＩＤタグ保持具。
【請求項５】
前記ＲＦＩＤタグ保持片は、前記液体用容器から前記ＲＦＩＤタグを所定間隔だけ離間させるだけの長さを有することを特徴とする請求項１記載のＲＦＩＤタグ保持具。
【請求項６】
前記内方突出片および前記ＲＦＩＤタグ保持片は、前記閉鎖弧状本体のまわりにおいて、互いに任意の相対的位置にこれを設けたことを特徴とする請求項１記載のＲＦＩＤタグ保持具。
【請求項７】
前記ＲＦＩＤタグ保持片は、前記閉鎖弧状本体および前記内方突出片が属する平面と同一平面内にこれを設けたことを特徴とする請求項１記載のＲＦＩＤタグ保持具。
【請求項８】
前記ＲＦＩＤタグ保持片は、前記閉鎖弧状本体および前記内方突出片が属する平面とは異なる平面内にこれを設けたことを特徴とする請求項１記載のＲＦＩＤタグ保持具。
【請求項９】
前記閉鎖弧状本体の前記内周部における前記内方突出片の基端部から前記内方突出片の長さ方向に沿った前記内周部までの長さをＬ１とし、
前記内方突出片がたわんだときの前記自由端部の前記内周部の平面への投影端部から前記内方突出片の長さ方向に沿った前記内周部までの長さをＬ２とし、
前記内方突出片の前記自由端部から前記閉鎖弧状本体の前記内周部までの長さをＬ３としたときに、
Ｌ３＜Ｌ２＜Ｌ１、
であることを特徴とする請求項１記載のＲＦＩＤタグ保持具。
【請求項１０】
前記液体用容器の最大直径をＤ１とし、
前記液体用容器の前記首部の上方に位置する蓋部における最大直径をＤ２としたときに、
Ｄ２＜Ｌ２＜Ｄ１、
であることを特徴とする請求項９記載のＲＦＩＤタグ保持具。
【請求項１１】
前記液体用容器の前記首部における最小直径をＤ３とし、
前記液体用容器の前記首部における最内方くびれ部から前記首部の上方に位置する蓋部における最外方突出部までの長さをＤ４としたときに、
Ｄ３＜Ｄ４＜Ｌ２、
であることを特徴とする請求項９記載のＲＦＩＤタグ保持具。
【請求項１２】
ＩＣチップおよびアンテナを有し、無線によるデータ交信が可能なＲＦＩＤタグを保持するとともに液体用容器に取り付け、この液体用容器に収容した液体に関する情報の前記データ交信を可能とするＲＦＩＤタグ保持具の取付け方法であって、
前記ＲＦＩＤタグ保持具は、
前記液体用容器の首部を挿通可能とする挿通孔を形成している閉鎖弧状本体と、
この閉鎖弧状本体の内周部からこの挿通孔の内方に突出しているとともにその自由端部がこの首部に対向可能な内方突出片と、
前記閉鎖弧状本体の外周部に位置して形成しているとともに前記ＲＦＩＤタグを取り付け可能なＲＦＩＤタグ保持片と、
を有し、
前記閉鎖弧状本体の前記挿通孔に前記液体用容器の首部を挿通して前記内周部を前記首部に係合し、
前記首部に係合している前記内周部を基点として前記ＲＦＩＤタグ保持具を回動させることにより、前記内方突出片を前記首部の上部に位置している蓋部に当接してこれをたわませ、
前記内方突出片が前記首部に対向させるようにして前記ＲＦＩＤタグ保持具を前記液体用容器に取り付けることを特徴とするＲＦＩＤタグ保持具の取付け方法。
【請求項１３】
ＩＣチップおよびアンテナを有し、無線によるデータ交信が可能なＲＦＩＤタグを保持するとともに液体用容器に取り付け、この液体用容器に収容した液体に関する情報の前記データ交信を可能とするＲＦＩＤタグ保持具の取付け方法であって、
前記ＲＦＩＤタグ保持具は、
前記液体用容器の首部を挿通可能とする挿通孔を形成している閉鎖弧状本体と、
この閉鎖弧状本体の内周部からこの挿通孔の内方に突出しているとともにその自由端部がこの首部に対向可能な内方突出片と、
前記閉鎖弧状本体の外周部に位置して形成しているとともに前記ＲＦＩＤタグを取り付け可能なＲＦＩＤタグ保持片と、
を有し、
前記閉鎖弧状本体の前記挿通孔に前記液体用容器の首部を挿通して前記内方突出部の前記自由端部を前記首部に係合し、
前記首部に係合している前記自由端部を基点として前記ＲＦＩＤタグ保持具を回動させることにより、前記閉鎖弧状本体の前記内周部を前記首部の上部に位置している蓋部に当接して前記内方突出部をたわませ、
前記内方突出片が前記首部に対向させるようにして前記ＲＦＩＤタグ保持具を前記液体用容器に取り付けることを特徴とするＲＦＩＤタグ保持具の取付け方法。
【発明の詳細な説明】
【技術分野】
【０００１】
本発明はＲＦＩＤタグ保持具およびその取付け方法にかかるもので、とくに液状薬剤その他液体を収容した液体用容器にＲＦＩＤタグを取り付けて保持するためのＲＦＩＤタグ保持具およびその取付け方法に関するものである。
【背景技術】
【０００２】
従来から、たとえば医療業界では、使用する各種薬剤について、その薬剤用容器に商品コード、使用有効期限やロット番号など各種の情報を表示したバーコードを用いて、薬剤管理システムを運用している。
【０００３】
たとえば、図７は、従来からの液体薬剤の薬剤用容器（液体用容器）の例を示す断面説明図であって、図７（１）は、アンプル１の断面図、図７（２）は、バイアル２の断面図である。
アンプル１は、容器本体３と、首部４と、蓋部５と、を有し、容器本体３内部に液体薬剤を収容可能とし、首部４を切断することにより液体薬剤を取り出し可能としている。
バイアル２は、容器本体６と、首部７と、蓋部８と、を有し、容器本体６内部に液体薬剤を収容可能とし、蓋部８には、栓９およびキャップ１０を設け、栓９に注射針を刺して内部の液剤を取り出し可能としている。
なお図７（２）に示すように、首部７は、実線で示す円柱形状以外に、仮想線で示す円錐形状を呈する場合もある。
【０００４】
なお、本発明を説明する都合上、液体用容器（アンプル１、バイアル２）について、以下のように各寸法を定義し、詳細は後述する。
すなわち、液体用容器１、２の最大直径をＤ１とし、液体用容器１、２の首部４、７の上方に位置する蓋部５、８における最大直径をＤ２とし、液体用容器１、２の首部４、７における最小直径をＤ３とし、とくに液体用容器（バイアル２）の首部７における最内方くびれ部７Ａから首部７の上方に位置する蓋部８における最外方突出部８Ａまでの長さをＤ４とする。
【０００５】
つぎに図８は、薬剤の梱包容器１１の斜視図であって、梱包容器１１にアンプル１あるいはバイアル２の複数個を収容するとともに、その外壁面にバーコードラベル１２を貼り付けている。
図８に示すように、従来からのバーコード（バーコードラベル１２）を用いた薬剤管理システムでは、梱包容器１１にバーコードラベル１２を貼り付けて表示しているだけで、バーコードにより表示可能な情報量に限りがあるため個々の薬剤にバーコードなどが付与されるまでには到っていないという問題がある。
すなわち、病院などでは製造元ないし卸元から送られてきた梱包容器１１を解いたのちに、個々の薬剤すなわち液体用容器（アンプル１、バイアル２）について手入力で必要なデータを入力しているのが現状である。
したがって、データ入力の手間はもちろん、入力ミスなどが発生しかねないという問題がある（特許文献１を参照）。
【０００６】
一方、図９は、ＲＦＩＤ（Ｒａｄｉｏ  Ｆｒｅｑｕｅｎｃｙ  Ｉｄｅｎｔｉｆｉｃａｔｉｏｎ）タグ１３の平面説明図であって、フィルム基材１４にＩＣチップ１５およびアンテナ１６を設けて、無線によるデータ交信が可能としているとともに、バーコードより保存情報量が多いという利点があるため、個々の液体用容器（アンプル１、バイアル２）にこれを取り付けて薬剤管理に用いることが望まれる。
しかしながら、ＲＦＩＤタグ１３は、水分その他の液体の近傍では交信用の電磁波が吸収されるなどの現象により、管理システムにおけるリーダーライター（図示せず）のアンテナとの間のデータ交信に支障が生じかねないという問題がある。
さらに、当該データ交信の効率が、このアンテナとＲＦＩＤタグ１３の姿勢との間の相対位置関係に左右されるという問題がある。
すなわち、とくに液状薬剤その他液体を収容した液体ないし商品用容器（アンプル１、バイアル２）のそれぞれにＲＦＩＤタグ１３を取り付けてデータ交信を行うことにより商品管理システムを効率的かつ安定して運用することが困難であるという問題がある。
【先行技術文献】
【特許文献】
【０００７】
【特許文献１】特開２００３−６７４９０号公報
【発明の概要】
【発明が解決しようとする課題】
【０００８】
本発明は以上のような諸問題にかんがみなされたもので、とくに液状薬剤その他液体を収容した液体用容器にＲＦＩＤタグを取り付けて保持可能とするＲＦＩＤタグ保持具およびその取付け方法を提供することを課題とする。
【０００９】
また本発明は、液体用容器にＲＦＩＤタグを取り付けても、データ交信に影響を及ぼすことなく商品管理システムを運用可能とするＲＦＩＤタグ保持具およびその取付け方法を提供することを課題とする。
【００１０】
また本発明は、液体用容器にＲＦＩＤタグを取り付けて、リーダーライターにおけるアンテナとの相対的な姿勢を適正なものとすることができるＲＦＩＤタグ保持具およびその取付け方法を提供することを課題とする。
【００１１】
また本発明は、液体用容器内の液体からＲＦＩＤタグを離した状態でこれを保持可能なＲＦＩＤタグ保持具およびその取付け方法を提供することを課題とする。
【課題を解決するための手段】
【００１２】
すなわち本発明は、閉鎖弧状本体の内周側に内方突出片を設けるとともに、その外周側にＲＦＩＤタグ保持片を設けることに着目したもので、第一の発明は、ＩＣチップおよびアンテナを有し、無線によるデータ交信が可能なＲＦＩＤタグを保持するとともに液体用容器に取り付け、この液体用容器に収容した液体に関する情報の上記データ交信を可能とするＲＦＩＤタグ保持具であって、上記液体用容器の首部を挿通可能とする挿通孔を形成している閉鎖弧状本体と、この閉鎖弧状本体の内周部からこの挿通孔の内方に突出しているとともにその自由端部がこの首部に対向可能な内方突出片と、上記閉鎖弧状本体の外周部に位置して形成しているとともに上記ＲＦＩＤタグを取り付けているＲＦＩＤタグ保持片と、を有することを特徴とするＲＦＩＤタグ保持具である。
【００１３】
第二の発明は、ＩＣチップおよびアンテナを有し、無線によるデータ交信が可能なＲＦＩＤタグを保持するとともに液体用容器に取り付け、この液体用容器に収容した液体に関する情報の上記データ交信を可能とするＲＦＩＤタグ保持具の取付け方法であって、上記ＲＦＩＤタグ保持具は、上記液体用容器の首部を挿通可能とする挿通孔を形成している閉鎖弧状本体と、この閉鎖弧状本体の内周部からこの挿通孔の内方に突出しているとともにその自由端部がこの首部に対向可能な内方突出片と、上記閉鎖弧状本体の外周部に位置して形成しているとともに上記ＲＦＩＤタグを取り付けているＲＦＩＤタグ保持片と、を有し、上記閉鎖弧状本体の上記挿通孔に上記液体用容器の首部を挿通して上記内周部を上記首部に係合し、上記首部に係合している上記内周部を基点として上記ＲＦＩＤタグ保持具を回動させることにより、上記内方突出片を上記首部の上部に位置している蓋部に当接してこれをたわませ、上記内方突出片が上記首部に対向させるようにして上記ＲＦＩＤタグ保持具を上記液体用容器に取り付けることを特徴とするＲＦＩＤタグ保持具の取付け方法である。
【００１４】
第三の発明は、ＩＣチップおよびアンテナを有し、無線によるデータ交信が可能なＲＦＩＤタグを保持するとともに液体用容器に取り付け、この液体用容器に収容した液体に関する情報の上記データ交信を可能とするＲＦＩＤタグ保持具の取付け方法であって、上記ＲＦＩＤタグ保持具は、上記液体用容器の首部を挿通可能とする挿通孔を形成している閉鎖弧状本体と、この閉鎖弧状本体の内周部からこの挿通孔の内方に突出しているとともにその自由端部がこの首部に対向可能な内方突出片と、上記閉鎖弧状本体の外周部に位置して形成しているとともに上記ＲＦＩＤタグを取り付け可能なＲＦＩＤタグ保持片と、を有し、上記閉鎖弧状本体の上記挿通孔に上記液体用容器の首部を挿通して上記内方突出部の上記自由端部を上記首部に係合し、上記首部に係合している上記自由端部を基点として上記ＲＦＩＤタグ保持具を回動させることにより、上記閉鎖弧状本体の上記内周部を上記首部の上部に位置している蓋部に当接して上記内方突出部をたわませ、上記内方突出片が上記首部に対向させるようにして上記ＲＦＩＤタグ保持具を上記液体用容器に取り付けることを特徴とするＲＦＩＤタグ保持具の取付け方法である。
【００１５】
上記閉鎖弧状本体の内周部は、上記液体用容器の上記首部に対向可能であることができる。
【００１６】
上記内方突出片は、これを弾性部材から構成することができる。
【００１７】
上記内方突出片には、上記自由端部から上記閉鎖弧状本体の上記内周部におけるその基端部に向かってスリットを形成してあることができる。
【００１８】
上記ＲＦＩＤタグ保持片は、上記液体用容器から上記ＲＦＩＤタグを所定間隔だけ離間させるだけの長さを有することができる。
【００１９】
上記内方突出片および上記ＲＦＩＤタグ保持片は、上記閉鎖弧状本体のまわりにおいて、互いに任意の相対的位置にこれを設けることができる。
【００２０】
上記ＲＦＩＤタグ保持片は、上記閉鎖弧状本体および上記内方突出片が属する平面と同一平面内にこれを設けることができる。
【００２１】
上記ＲＦＩＤタグ保持片は、上記閉鎖弧状本体および上記内方突出片が属する平面とは異なる平面内にこれを設けることができる。
【００２２】
上記閉鎖弧状本体の上記内周部における上記内方突出片の基端部から上記内方突出片の長さ方向に沿った上記内周部までの長さをＬ１とし、上記内方突出片がたわんだときの上記自由端部の上記内周部の平面への投影端部から上記内方突出片の長さ方向に沿った上記内周部までの長さをＬ２とし、上記内方突出片の上記自由端部から上記閉鎖弧状本体の上記内周部までの長さをＬ３としたときに、Ｌ３＜Ｌ２＜Ｌ１、であることができる。
【００２３】
上記液体用容器の最大直径をＤ１とし、上記液体用容器の上記首部の上方に位置する蓋部における最大直径をＤ２としたときに、Ｄ２＜Ｌ２＜Ｄ１、であることができる。
【００２４】
上記液体用容器の上記首部における最小直径をＤ３とし、上記液体用容器の上記首部における最内方くびれ部から上記首部の上方に位置する蓋部における最外方突出部までの長さをＤ４としたときに、Ｄ３＜Ｄ４＜Ｌ２、であることができる。
【発明の効果】
【００２５】
本発明によるＲＦＩＤタグ保持具およびその取付け方法においては、閉鎖弧状本体の内周側に内方突出片を設けるとともに、その外周側にＲＦＩＤタグ保持片を設けて、このＲＦＩＤタグ保持具を液体用容器の首部に取り付けるようにしたので、液体用容器内の液体からＲＦＩＤタグを必要な距離だけ離すとともに、リーダーライターのアンテナとの相対的な姿勢を適正に維持して、データ交信を安定して確実に実行可能である。
【００２６】
とくに第一の発明によるＲＦＩＤタグ保持具によれば、閉鎖弧状本体の外周側にＲＦＩＤタグ保持片が位置しているので、液体用容器内の液体からＲＦＩＤタグを必要な距離だけ離し、データ交信への影響を極力低減可能である。
【００２７】
とくに第二の発明によるＲＦＩＤタグ保持具の取付け方法によれば、まず閉鎖弧状本体の内周部を液体用容器の首部に係合し、閉鎖弧状本体の内周側に位置する内方突出片が液体用容器の蓋部をこえるようにして、液体用容器の首部に対向ないし係合するように取り付け可能としたので、取付け操作が簡便であるとともに、確実にＲＦＩＤタグを保持することができる。
【００２８】
とくに第三の発明によるＲＦＩＤタグ保持具の取付け方法によれば、まず閉鎖弧状本体の内周側に位置する内方突出片を液体用容器の首部に係合し、閉鎖弧状本体の内周部が液体用容器の蓋部をこえるようにして、内方突出片が液体用容器の首部に対向ないし係合するように取り付け可能としたので、取付け操作が簡便であるとともに、確実にＲＦＩＤタグを保持することができる。
【図面の簡単な説明】
【００２９】
【図１】本発明の第１の実施例によるＲＦＩＤタグ保持具２０の平面図である。
【図２】同、バイアル２にＲＦＩＤタグ保持具２０を取り付ける状態を説明するための側面図である。
【図３】同、バイアル２へのＲＦＩＤタグ保持具２０の取付け状態においてＲＦＩＤタグ保持具２０の正面姿勢を示す側面図である。
【図４】同、薬剤管理システム２８における読取り台２９上に、それぞれＲＦＩＤタグ保持具２０付きの複数個のバイアル２を載置した状態を示す側面図である。
【図５】本発明の第２の実施例によるＲＦＩＤタグ保持具４０の平面図である。
【図６】同、バイアル２にＲＦＩＤタグ保持具４０を取り付ける状態を説明するための側面図である。
【図７】従来からの液体薬剤の薬剤用容器（液体用容器）の例を示す断面説明図であって、図７（１）は、アンプル１の断面図、図７（２）は、バイアル２の断面図である。
【図８】同、薬剤の梱包容器１１の斜視図である。
【図９】同、ＲＦＩＤタグ１３の平面説明図である。
【発明を実施するための形態】
【００３０】
本発明は、閉鎖弧状本体、内方突出片およびＲＦＩＤタグ保持片を設けて液体用容器の首部に取り付け可能とするようにしたので、個々の液体用容器にＲＦＩＤタグを簡単かつ確実に取り付け、液状商品管理システムとの適正かつ安定したデータ交信を可能とするＲＦＩＤタグ保持具およびその取付け方法を実現した。
【実施例】
【００３１】
つぎに本発明の第１の実施例によるＲＦＩＤタグ保持具２０およびその取付け方法を図１ないし図４にもとづき説明する。ただし、図７ないし図９と同様の部分には同一符号を付し、その詳述はこれを省略する。
図１は、ＲＦＩＤタグ保持具２０の平面図であって、ＲＦＩＤタグ保持具２０は、前記ＲＦＩＤタグ１３（図９）を前記液体用容器（アンプル１、バイアル２、図７）に取り付けて保持し、この液体用容器１、２に収容した液体に関する情報のデータ交信を可能とするものであって、閉鎖弧状本体２１と、内方突出片２２と、ＲＦＩＤタグ保持片２３と、を有する。
液体用容器として、図７（２）に示したバイアル２の場合を例にとって以下説明する。
【００３２】
閉鎖弧状本体２１は、その内周部２１Ａを、バイアル２の首部７に対向可能な円弧状とするとともにその外周部２１Ｂを矩形状（たとえば正方形状）とした薄板状の、ただし外力がかからない状態では原形状を維持するだけの剛性を有する弾性合成樹脂材からこれを構成し、バイアル２の首部７を挿通可能とする挿通孔２４をその内周部２１Ａにより形成している。
なお、内周部２１Ａおよび外周部２１Ｂは、バイアル２の形状、梱包状態や読取り状態における複数本のバイアル２の並列形態に応じて、任意の形状たとえば、内周部２１Ａを楕円形状としたり、外周部２１Ｂを内周部２１Ａと同様の円弧状その他任意の形状に形成することができる。
【００３３】
内方突出片２２は、閉鎖弧状本体２１の内周部２１Ａにおける任意の部位に位置している基端部２２Ａと、基端部２２Ａから挿通孔２４の内方に突出している自由端部２２Ｂと、を有し、この自由端部２２Ｂがバイアル２の首部７に対向可能である。
内方突出片２２は、閉鎖弧状本体２１およびＲＦＩＤタグ保持片２３ともに一体形成することが望ましいが、少なくともこれを弾性部材から構成し、その基端部２２Ａを基点に弾性変形可能とすることが望ましい。
内方突出片２２には、自由端部２２Ｂから閉鎖弧状本体２１の内周部２１Ａにおけるその基端部２２Ａに向かって、テーパー状切欠き部２５およびその先端からスリット２６を形成してあり、スリット２６を境に一対の左右内方突出片２２Ｃとして長さ方向およびその幅方向（互いに離反する方向）に弾性変形が可能である。
【００３４】
ＲＦＩＤタグ保持片２３は、閉鎖弧状本体２１の外周部２１Ｂに位置して形成しているとともに、その先端部側にＲＦＩＤタグ１３を取り付けるためのタグ用台座２７を設けている。
さらにＲＦＩＤタグ保持片２３は、バイアル２からＲＦＩＤタグ１３を所定間隔だけ離間させるだけの長さを有するとともに、ＲＲＩＤタグ１３を所定の姿勢に維持する形状を有する。
すなわち図示の例では、外力がかからない状態で閉鎖弧状本体２１および内方突出片２２が属する平面と同一平面内にＲＦＩＤタグ保持片２３が位置するような形状としている。
【００３５】
つぎに、閉鎖弧状本体２１の内周部２１Ａにおける内方突出片２２の基端部２２Ａから内方突出片２２の長さ方向に沿った内周部２１Ａまでの長さをＬ１とする。
内方突出片２２がたわんだときの自由端部２２Ｂの内周部２１Ａの平面への投影端部２２ＢＢから内方突出片２２の長さ方向に沿った内周部２１Ａまでの長さをＬ２とする。
内方突出片２２の自由端部２２Ｂから閉鎖弧状本体２１の内周部２１Ａまでの長さをＬ３としたときに、Ｌ３＜Ｌ２＜Ｌ１、である。
【００３６】
また、図７において既述したバイアル２の最大直径Ｄ１、およびバイアル２の首部７の上方に位置する蓋部８における最大直径Ｄ２と関連して、Ｄ２＜Ｌ２＜Ｄ１、である。
すなわち、ＲＦＩＤタグ保持具２０がバイアル２に取り付けられ保持されるためには、長さＬ２が、少なくともバイアル２の最大直径Ｄ１および蓋部８の最大直径Ｄ２の間にあることが必要である。
【００３７】
さらに述べれば、バイアル２の首部７における最小直径Ｄ３、バイアル２の首部７における最内方くびれ部７Ａから首部７の上方に位置する蓋部８における最外方突出部８Ａまでの長さＤ４に関連して、Ｄ３＜Ｄ４＜Ｌ２、である。
すなわち、ＲＦＩＤタグ保持具２０をバイアル２の首部ないし蓋部８に対して傾斜して取り付け始める場合に、内方突出片２２が弾性変形することを勘案すれば、長さｌ２が、バイアル２の蓋部８に関連する長さＤ４より少なくとも大きいことが必要である。
また、Ｄ３＜Ｄ４、であることによって、首部７のくびれている部分にＲＦＩＤタグ保持具２０が確実に取り付けられることになる。
したがって、バイアル２の容器本体６、首部７や蓋部８の形状や大きさが異なっていてもＲＦＩＤタグ保持具２０を取り付けて保持することができる。
【００３８】
こうした構成のＲＦＩＤタグ保持具２０において、ＲＦＩＤタグ保持具２０の挿通孔２４をバイアル２の首部７に挿通して取り付けることができる。
すなわち、図２は、バイアル２にＲＦＩＤタグ保持具２０を取り付ける状態を説明するための側面図であって、まず図中仮想線で示すように、閉鎖弧状本体２１の挿通孔２４にバイアル２の首部７を挿通して内周部２１Ａを首部７（最内方くびれ部７Ａ）に係合する。
さらに、首部７におけるとくに最内方くびれ部７Ａに係合するようにＲＦＩＤタグ保持具２０を手前に引いた状態で、この最内方くびれ部７Ａに係合している内周部２１Ａを基点としてＲＦＩＤタグ保持具２０を図中下方に回動させることにより、内方突出片２２を首部７の上部に位置している蓋部８（最外方突出部８Ａ）に当接してこれをたわませる。なお内方突出片２２の中央部にはスリット２６を形成してあるので、一対の左右内方突出片２２Ｃが互いに離反するように弾性変形し、内方突出片２２全体の弾性変形を容易かつ無理のないものとすることができる。
ついで、ＲＦＩＤタグ保持具２０全体をバイアル２の容器本体６の方向に回動操作することにより、図２中実線で示すように、内方突出片２２（一対の左右内方突出片２２Ｃ）が蓋部８から首部７をこえてその弾性により元姿勢に戻って首部７に対向ないし係合させるようにしてＲＦＩＤタグ保持具２０をバイアル２に取り付ける。
【００３９】
図３は、バイアル２へのＲＦＩＤタグ保持具２０の取付け状態においてＲＦＩＤタグ保持具２０の正面姿勢を示す側面図であって、図２も参照すれば明白であるように、ＲＦＩＤタグ保持片２３上のＲＦＩＤタグ１３がバイアル２内の液体薬剤から所定間隔だけ離れた位置にある。
【００４０】
さらに図４は、薬剤管理システム２８における読取り台２９上に、それぞれＲＦＩＤタグ保持具２０付きの複数個のバイアル２を載置した状態を示す側面図であって、ＲＦＩＤタグ保持具２０上のＲＦＩＤタグ１３がバイアル２（容器本体６）内の液状薬剤から所定間隔だけ離れているので、読取り台２９に設けたリーダーライターアンテナ３０との間でＲＦＩＤタグ１３が確実にデータ交信を行うことができる。
また、ＲＦＩＤタグ保持具２０のバイアル２の取付け姿勢を工夫することにより、このデータ交信に適した姿勢にＲＦＩＤタグ１３を位置させることができる。具体的には、バイアル２の首部７と、ＲＦＩＤタグ保持具２０における閉鎖弧状本体２１、内方突出片２２およびＲＦＩＤタグ保持片２３との間の各寸法を調整することにより、あるいはそれぞれの姿勢を傾斜あるいは捻らせるように調整することにより、ＲＦＩＤタグ１３のリーダーライターアンテナ３０に対する相対的姿勢の平行度を極力維持することができる。
たとえば図４に点線で示すように、ＲＦＩＤタグ保持片２３は、閉鎖弧状本体２１および内方突出片２２が属する平面とは異なる平面（図中、やや上向きに傾斜した平面）内にこれを設け、ＲＦＩＤタグ１３がリーダーライターアンテナ３０に対して、より平行に近い相対的姿勢を取るようにすることができる。
かくして、大きさの異なる液体用容器（アンプル１、バイアル２）にもＲＦＩＤタグ保持具２０を取り付ける際に、一定角度や間隔を持って、さらにリーダーライターアンテナ３０とＲＦＩＤタグ１３との平行度などの姿勢を保持可能であるとともに、その内部に液体が含まれていてもＲＦＩＤタグ１３の通信性能を損なうことがない。
【００４１】
なお本発明においては、内方突出片２２およびＲＦＩＤタグ保持片２３は、閉鎖弧状本体２１のまわりにおいて、互いに任意の相対的位置にこれを設けることができる。
すなわち、図５は、本発明の第２の実施例によるＲＦＩＤタグ保持具４０の平面図であって、ＲＦＩＤタグ保持具４０は、ＲＦＩＤタグ保持具２０とは逆に閉鎖弧状本体２１のまわりにおいて、内方突出片２２およびＲＦＩＤタグ保持片２３が互いに反対側の位置（１８０度ずれた位置）にこれを設けている。
図示のように、内方突出片２２の自由端部２２Ｂが閉鎖弧状本体２１の挿通孔２４を隔ててＲＦＩＤタグ保持片２３に向かう位置に内方突出片２２を設けている。
【００４２】
図６は、バイアル２にＲＦＩＤタグ保持具４０を取り付ける状態を説明するための側面図であって、まず図中仮想線で示すように、閉鎖弧状本体２１の挿通孔２４にバイアル２の首部７を挿通して内方突出部２２の自由端部２２Ｂを首部７（最内方くびれ部７Ａ）に係合する。
さらに、首部７における最内方くびれ部７Ａに係合している自由端部２２Ｂを基点としてＲＦＩＤタグ保持具４０を図中下方に回動させることにより、閉鎖弧状本体２１の内周部２１Ａを首部７の上部に位置している蓋部８（最外方突出部８Ａ）に当接して内方突出片２２をたわませる。
ついで、ＲＦＩＤタグ保持具４０全体をバイアル２の容器本体６の方向に回動操作することにより、図６中実線で示すように、内方突出片２２がその弾性により元姿勢に戻って首部７に対向ないし係合させるようにしてＲＦＩＤタグ保持具４０をバイアル２に取り付ける。
したがって、閉鎖弧状本体２１の挿通孔２４内の内方突出片２２がバイアル２の首部７に係合しているとともに、ＲＦＩＤタグ保持片２３上のＲＦＩＤタグ１３がバイアル２内の液体薬剤から所定の間隔だけ離れた位置（図２に示したＲＦＩＤタグ保持具２０よりさらに上方に離れた位置）にこれを位置させることができるとともに、薬剤管理システム２８のリーダーライターアンテナ３０に対しても適正な姿勢にこれを配置することができる。
【００４３】
かくして、本発明においては、ＲＦＩＤタグ１３をバイアル２（液体用容器）の液体および薬剤管理システム２８のリーダーライターアンテナ３０に対して適正な位置および姿勢に配置することができるが、閉鎖弧状本体２１、内方突出片２２およびＲＦＩＤタグ保持片２３の形状や各寸法などは、バイアル２の首部７などの形状および大きさに応じて閉鎖弧状本体２１の内周部２１Ａおよび内方突出片２２が対向ないし係合可能であるとともに、ＲＦＩＤタグ１３がバイアル２内の液体から離間可能であるように調整することができる。
【符号の説明】
【００４４】
１  アンプル（液体用容器、図７）
２  バイアル（液体用容器、図７）
３  容器本体
４  首部
５  蓋部
６  容器本体
７  首部
７Ａ  首部７における最内方くびれ部
８  蓋部
８Ａ  蓋部８における最外方突出部
９  栓
１０  キャップ
１１  梱包容器（図８）
１２  バーコードラベル
１３  ＲＦＩＤタグ（図９、図１）
１４  フィルム基材
１５  ＩＣチップ
１６  アンテナ
２０  ＲＦＩＤタグ保持具（第１の実施例、図１）
２１  閉鎖弧状本体
２１Ａ  閉鎖弧状本体２１の内周部
２１Ｂ  閉鎖弧状本体２１の外周部
２２  内方突出片
２２Ａ  内方突出片２２の基端部
２２Ｂ  内方突出片２２の自由端部
２２ＢＢ  内方突出片２２がたわんだときのその自由端部２２Ｂの内周部２１Ａの平面への投影端部
２２Ｃ  一対の左右内方突出片
２３  ＲＦＩＤタグ保持片
２４  閉鎖弧状本体２１に形成した挿通孔
２５  内方突出片２２に形成したテーパー状切欠き部
２６  内方突出片２２に形成したスリット
２７  タグ用台座
２８  薬剤管理システム（図４）
２９  読取り台
３０  リーダーライターアンテナ
４０  ＲＦＩＤタグ保持具（第２の実施例、図５）
【図１】
2010176473.tif 000003
【図２】
2010176473.tif 000004
【図３】
2010176473.tif 000005
【図４】
2010176473.tif 000006
【図５】
2010176473.tif 000007
【図６】
2010176473.tif 000008
【図７】
2010176473.tif 000009
【図８】
2010176473.tif 000010
【図９】
2010176473.tif 000011